(57)【要約】【課題】通話中に行うキー操作によるクリック音が相手に送られて不快感を生じるのを抑える電話機およびその雑音消去方法を提供する。【解決手段】キー接点２８が設けられたキー基板２５の上に接点２７が形成されたフレキシブル基板２３を介してキーシート２９を設ける。ユーザがキーシート２９の操作キー２１を押下すると、先ずフレキシブル基板２３上の接点２７をキーシート２９のラバー２２に形成された接点２６で閉じ（オン）、制御回路３０を介して音声処理回路４０のマイクミュート回路４１によりマイク６０をミュートする。その後に、キー基板２５のキー接点２８を閉じて、キー入力する。【選択図】図１
2006303659.tif 000002
【特許請求の範囲】
【請求項１】
マイクを介してユーザの音声を集音して相手に送信すると共に通話中にユーザが操作可能な操作キーを有する電話機において、
前記操作キーのキー入力動作に先立ち駆動される接点手段と、該接点手段のオンにより前記マイクをミュートするマイクミュート手段とを備えることを特徴とする電話機。
【請求項２】
前記接点手段は、キー接点が設けられたキー基板の上に配置された接点対が形成され、フレキシブル基板および該フレキシブル基板の接点対間を短絡する接点により構成されることを特徴とする請求項１に記載の電話機。
【請求項３】
前記フレキシブル基板の接点対間を短絡する前記接点は、操作キーの底面に設けられることを特徴とする請求項２に記載の電話機。
【請求項４】
前記マイクが前記操作キーの近傍に配置された携帯電話機であることを特徴とする請求項１、２又は３の電話機。
【請求項５】
マイクを介してユーザの音声を集音して相手に送信すると共にユーザが通話中に操作キーを操作する際の雑音が相手に送信されるのを阻止する電話機の雑音消去方法において、
前記操作キーの押下開始を検出するステップと、前記操作キーの押下開始時に前記マイクをミュートするステップと、前記操作キーを更に押下することによりキー入力するステップとを備えることを特徴とする電話機の雑音消去方法。
【請求項６】
前記キー入力後にユーザが前記操作キーの押下を停止することにより、前記マイクのミュートを終了することを特徴とする請求項５に記載の電話機の雑音消去方法。
【発明の詳細な説明】
【技術分野】
【０００１】
本発明は電話機に関し、特に携帯電話機での通話中にキー操作を行った際に発生するクリック音が相手に伝わらないようにする電話機およびその雑音消去方法に関する。
【背景技術】
【０００２】
電話機は、通信手段、即ち音声又はデータの送受信手段として広く普及している。特に、携帯電話機は、そのサービスエリア内であれば、実質的に何処でも且つ何時でも通信可能であるという利便性のために、急速に普及している。また、携帯電話機の使用環境は、固定（又は仮定やオフィスで使用される）電話機に比較して変化が大きいので、種々の機能が付加されて、ユーザの利便性を高めている。
【０００３】
例えば、周囲の雑音に応じて、ユーザがキー操作して、最も聞き取り易いスピーカの音量に調整することも可能である。また、相手との通話中にキー操作して、必要な情報、例えば第三者の電話番号等を調べて相手に通知する電話帳機能等も備えられている。
【０００４】
しかし、携帯電話機は、一般に複数の操作キー、集音マイクおよびスピーカが小型のボディーに一体的に組み込まれたコンパクトな設計である。従って、携帯電話機での通話中に受話音量を変え又は既に登録されている電話番号を調べる等のキー操作を行った際に発生するクリック音が集音マイクで検出され、相手受話から雑音として聞こえてしまい、相手に対して不快感を与えていた。
【０００５】
斯かる耳障りなクリック音は、ソフト（又は無音の）操作キーを使用することにより排除又は低減可能である。しかし、ソフト操作キーを採用すると、クリック感がないので、実際にその操作キーを操作したか否かをユーザが確認困難であるので、二重操作等による操作ミスを生じる虞があり、採用困難である。
【０００６】
そこで、電話機に設けられたフックスイッチやスライドスイッチの操作により生じるクリック音等の発生による相手の不快感を軽減する電話機、電話機における総和切断回路および無線電話システムが開示されている（例えば、特許文献１、特許文献２および特許文献３参照）。
【０００７】
【特許文献１】特開平５−８３３４０号公報（第２頁、第１図）
【特許文献２】特開平７−５８８１１号公報（第２−３頁、第１図）
【特許文献３】特開平８−１８６３１号公報（第３頁、第１図）
【発明の開示】
【発明が解決しようとする課題】
【０００８】
しかし、従来技術では、操作キーのクリック感の確保および相手に対する不快感の解消を両立することが困難又は不可能であった。また、従来技術では、相手に与える不快感を解消するための複雑な操作が必要であった。
【０００９】
本発明は、従来技術の上述した課題に鑑みなされたものであり、斯かる課題を解消又は軽減する電話機およびその雑音消去方法を提供することを主たる目的とする。
【課題を解決するための手段】
【００１０】
前述の課題を解決するため、本発明による電話機およびその雑音消去方法は、次のような特徴的な構成を採用している。
【００１１】
（１）マイクを介してユーザの音声を集音して相手に送信すると共に通話中にユーザが操作可能な操作キーを有する電話機において、
前記操作キーのキー入力動作に先立ち駆動される接点手段と、該接点手段のオンにより前記マイクをミュートするマイクミュート手段とを備える電話機。
（２）前記接点手段は、キー接点が設けられたキー基板の上に配置された接点対が形成され、フレキシブル基板および該フレキシブル基板の接点対間を短絡する接点により構成される上記（１）の電話機。
（３）前記フレキシブル基板の接点対間を短絡する前記接点は、操作キーの底面に設けられる上記（２）の電話機。
（４）前記マイクが前記操作キーの近傍に配置された携帯電話機である上記（１）、（２）又は（３）の電話機。
（５）マイクを介してユーザの音声を集音して相手に送信すると共にユーザが通話中に操作キーを操作する際の雑音が相手に送信されるのを阻止する電話機の雑音消去方法において、
前記操作キーの押下開始を検出するステップと、前記操作キーの押下開始時に前記マイクをミュートするステップと、前記操作キーを更に押下することによりキー入力するステップとを備える電話機の雑音消去方法。
（６）前記キー入力後にユーザが前記操作キーの押下を停止することにより、前記マイクのミュートを終了する上記（５）の電話機の雑音消去方法。
【発明の効果】
【００１２】
本発明の電話機およびその雑音消去方法によると、次の如き実用上の顕著な効果が得られる。即ち、通話中にキー操作しても、キー入力に先立ちマイクをミュートするので、キー操作のクリック音が相手に送られて不快感を与えることがない。また、キー操作時のクリック感の確保およびクリックによる雑音の抑圧を両立することが可能である。
【発明を実施するための最良の形態】
【００１３】
以下、本発明の電話機およびその雑音消去方法の好適実施例の構成および動作を、添付図面を参照して詳細に説明する。
【００１４】
図１は、本発明による電話機の好適実施例の基本構成を示す機能ブロック図である。この電話機（又は携帯電話機）１０は、キーパッド２０、制御回路３０、音声処理回路４０、無線回路５０およびマイク６０により構成されている。
【００１５】
キーパッド２０は、テンキーを含む複数の操作キーを備え、電話機１０のユーザが通話したい相手の電話番号の入力や受話音量調整その他の機能を実行する。制御回路３０は、ユーザがキーパッド２０のどの部分を操作（又は押下）したかを検知し、その操作結果に基づいて各部を制御する。音声処理回路４０は、マイク６０が集音した音声信号を処理する。この音声処理回路４０は、マイクミュート回路４１を含み、後述する如く、マイク６０が集音した音声信号を適宜ミュート（無音状態）にする。無線回路５０は、アンテナ（図示せず）を介して相手電話機との間で音声信号等の送受信を行う。
【００１６】
次に、図２は、図１に示すキーパッド２０部の詳細構成を示す拡大断面図である。このキーパッド２０は、操作キー２１およびラバー（ゴム）２２よりなるキーシート２９、フレキシブル基板（又はフレキ）２３、絶縁シート２４およびキー基板２５により構成される。これらキーシート２９、フレキシブル基板２３、絶縁シート２４およびキー基板２５は、相互に重ね合わせて配置されている。ラバー２２の下面には第１接点２６が設けられ、フレキシブル基板２３には、相互に所定間隔で離間して配置された１対の第２接点２７が設けられ、キー基板２５には第３接点（キー接点）２８が設けられている。
【００１７】
ユーザが指等によりキーパッド２０上の特定の操作キー２１を押下すると、相互に隣接して設けられた１対の第２接点２７間がラバー２２に設けられた第１接点２６により短絡（オン）される。そして、このスイッチ閉（オン）状態は、図１に示す制御回路３０に通知され、この特定の操作キー２１が押下されたことを感知して、対応する動作をする。
【００１８】
次に、図１および図２を参照して、本発明による電話機１０およびその雑音除去方法の動作を詳細に説明する。
【００１９】
先ず、電話機１０のユーザが通話中に、必要に応じて操作キー２１を押下する。この押下により、最初に接点２６と接点２７が接触（オン）する。即ち、フレキシブル基板２３上の接点対２７の間が接点２６により短絡して、スイッチ「オン」状態になる。更に、操作キー２１の押下を継続すると、その後、キー基板２５上のキー接点２８が接触（オン）する。接点２６と接点２７が接触した時点で制御回路３０に信号が送出され、キー入力されることを事前に検出し、この段階ではクリック音は発生しないことに留意されたい。
【００２０】
次に、制御回路３０は、音声処理回路４０内のマイクミュート回路４１へミュートをオンにする信号を送出する。これにより、マイク６０がミュート（集音動作を無効）になる。
【００２１】
更に、キー基板２５上のキー接点２８が接触し、キー入力される。そして、キー接点２８の接触が解除された後、接点２６と２７の接触が解除されると、制御回路３０はキー入力が終了したことを検出する。そして、マイクミュート回路４１へミュートをオフにする信号を送出する。
【００２２】
ここで、操作キー２１の押し始めからキー入力が終了するまでの時間（クリック音が発生する時間）は、マイクミュート回路４１がオンとなるため、クリック音がマイク６０で集音又は検出されなくなる。従って、電話機１０のユーザが通話している相手側へ操作キー２１の操作又は押下に起因するクリック音は送信されず、不快感を与える虞はない。
【００２３】
以上、本発明による電話機およびその雑音消去方法の好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途に応じて種々の変形変更が可能であること、当業者には容易に理解できよう。
【００２４】
本発明は、事業用構内ＰＨＳ（Personal Handy-phone System）やハンズフリー機能を備えた卓上の固定電話に本機能を搭載することで、通話中にキーを押下してもクリック音による雑音が相手側に送信されないようにしたい場合に好適である。
【図面の簡単な説明】
【００２５】
【図１】本発明による電話機の好適実施例の構成を示すブロック図である。
【図２】図１中のキーパッドの構成を示す断面図である。
【符号の説明】
【００２６】
１０  電話機
２０  キーパッド
２１  操作キー
２２  ラバー
２３  フレキシブル基板
２４  絶縁シート
２５  キー基板
２６、２７  接点
２８  キー接点
３０  制御回路
４０  音声処理回路
４１  マイクミュート回路
５０  無線回路
６０  マイク
【図１】
2006303659.tif 000003
【図２】
2006303659.tif 000004